(57)【要約】      （修正有）【課題】歯の舌側に配置する歯科矯正装置を提供する。【解決手段】歯科矯正装置１は、歯に取り付けるようになっている構成部品３および取付けジグ２を備え、前記取付けジグ２は前記構成部品３の一体部分でありかつ連結部分９にて前記構成部品３に取り付けられている。この連結部分９は、構成部品３が歯に取り付けられたとき、容易に切り離されるようになっている。【選択図】図１
0003155882.tif 000002
【実用新案登録請求の範囲】
【請求項１】
歯に取り付けるよう構成された構成部品（３）と、取付けジグ（２）とを備える歯科矯正装置（１）において、
前記取付けジグ（２）は、前記構成部品（３）の一体部分であり、かつ、連結部分（９）にて前記構成部品（３）に取り付けられるものであり、
前記連結部分（９）は、前記構成部品（３）が歯に取り付けられたときに前記取付けジグ（２）を切り離すことができるよう、前記取付けジグ（２）を前記構成部品（３）から取り外すための手段を備えている
ことを特徴とする、歯科矯正装置。
【請求項２】
前記構成部品（３）がベースプレート（１５）を備え、前記ベースプレート（１５）が歯の表面に取り付けられるようになっており、主要部分（４）が、歯を治療する際の器具として使用するように構成されていることを特徴とする、請求項１に記載の歯科矯正装置。
【請求項３】
前記取付けジグ（２）が、前記連結部分（９）によって前記主要部分（４）に取り付けられていることを特徴とする、請求項１に記載の歯科矯正装置。
【請求項４】
前記取付けジグ（２）が、前記連結部分（９）によって前記ベースプレート（１５）に連結されていることを特徴とする、請求項１または２に記載の歯科矯正装置（１）。
【請求項５】
前記連結部分（９）にて前記ベースプレート（１５）に連結されている前記取付けジグ（２）が、前記ベースプレート（１５）の上側（１９）に連結されていることを特徴とする、請求項４に記載の歯科矯正装置。
【請求項６】
前記取付けジグ（２）が、前記連結部分（９）において、前記ベースプレート（１５）の表面に対して傾斜していることを特徴とする、請求項３〜５のいずれか一項に記載の歯科矯正装置。
【請求項７】
前記連結部分（９）における前記取付けジグ（２）と前記ベースプレート（１５）との間の傾斜角が、２°〜９０°の角度であり、より好ましくは５°と６０°の間の角度であり、最も好ましくは１０°〜４５°の角度であることを特徴とする、請求項６に記載の歯科矯正装置。
【請求項８】
前記取付けジグ（２）が、二つの部分、すなわち曲り部分（１８）によって分割された第一の取付け部分（１６）および第二の指示部分（１７）に分割され、前記二つの部分（１６、１７）は、歯の切縁が前記取付けジグの前記曲り部分（１８）または前記第二部分（１７）の表面に適合するように間隔をおいて、互いに、３０°と１２０°の間の角度で、好ましくは４０°と９０°の間の角度で、最も好ましくは４５°と８０°の間の角度で曲げられていることを特徴とする、請求項１〜７のいずれか一項に記載の歯科矯正装置。
【請求項９】
保持スティック１１を備えていることを特徴とする、請求項１〜８のいずれか一項に記載の歯科矯正装置。
【請求項１０】
前記保持スティック（１１）がフック（１２）を備えていること特徴とする、請求項９に記載の歯科矯正装置。
【請求項１１】
前記保持スティック（１１）を具備するふた（５）を有する自己結紮式ブラケット（３）を備えていることを特徴とする、請求項９または１０に記載の歯科矯正装置。
【請求項１２】
主要部分（４）と、その主要部分（４）に枢着されたふた（５）とを備える自己結紮式ブラケット（３）において、前記ふた（５）が、該ふたの表面から延出する保持スティック（１１）を備えていることを特徴とする、自己結紮式ブラケット。
【請求項１３】
前記ふたが、被覆部分（１３）と、閉鎖部分（１４）とを備え、前記被覆部分（１３）が前記主要部分（４）に枢着され、前記被覆部分（１３）と前記閉鎖部分（１４）とが互いに所定の角度をなし、前記閉鎖部分（１４）には保持スティック（１１）が設けられていることを特徴とする、請求項１２に記載の自己結紮式ブラケット。
【請求項１４】
前記保持スティック（１１）が、フック（１２）を備えていることを特徴とする、請求項１２または１３に記載の自己結紮式ブラケット。
【考案の詳細な説明】
【技術分野】
【０００１】
本考案は歯に取り付けることを目的とする歯科ブラケットおよび類似の器具に関する。特に本考案は、歯の舌側に固定することを目的とする前記器具およびその器具を定置し操作する方法に関する。
【背景技術】
【０００２】
各種の不正状態を矯正するため、患者の歯に、各種の歯科ブラケットすなわち歯科矯正用ブラケットを定置することは歯科の分野では周知である。古い製品では、これらのブラケットは歯の周りに配置されるバンドを備えており、そのため各バンドは、そのシステムを連結するため、ワイヤおよびバンドを取り付けることができる隆起部分が設けられていた。現在、ブラケットは、必要なブラケットのベースを歯の面にセメント接合することによって取り付けることが一般的であり、その結果、歯を取り巻くバンドは必要でなくなっている。
【０００３】
ブラケットを定置する一般的な一つの方法は、第一に、患者の歯のレプリカを製作し、ブラケットを予備的に定置し続いてそのブラケットを歯の模型から患者の歯に移設する方法である。周知の方法によれば、その移設は、単一の成形品を使用して、全ブラケットを一ユニットとして、歯の成形物から患者の歯に移動させることによって行うことができる。この技術では、ブラケットはまず患者の歯のレプリカである歯の成形物の上に置く。次のステップは、そのブラケットと歯の成形物のまわりを成形することによってポジショナーすなわち「トレイ」を製作するステップである。そのポジショナーを硬化させて取り出すと、ブラケットはそのポジショナーとともに取り出される。その後、この成形物を、患者の歯の上に定置して、前記ブラケットを歯にセメント接合する。このような方法の一例は米国特許第４，５０１，５５４号に開示されている。この方法は通常、良好に働くが、幾分煩雑であるという欠点がある。多くの場合、歯科医または歯科診療所は、これら模型をつくるかまたはそのブラケットをポジショナーに移動させることのできる手段を持っておらず、これが、組立て体を遠方の専門家に送らねばならない理由である。この手順は、一般に時間がかかり、かつこの手順に関わるいくらかの人員と施設が必要である。たとえ組織内にポジショナーを製作する手段があっても、別のステップすなわち、この方法を使用するときに、ポジショナーの作製を加工するステップが依然として必要である。
【０００４】
別の方法によれば、ブラケットは、模型から一つずつ取り外して、患者の歯に一つずつ定置される。この方法によれば、ポジショナーの成形物を製作する必要がないので、その工程はより容易に実行できる。しかし、ブラケットを、歯の表面の所望の位置に取り付けることが困難である。特に、これは、舌側のブラケットを取り付けなければならないとき問題である。というのは、定置手順が進行中に、ブラケットがどのように取り付けられているか視覚で十分見ることがより困難だからである。この定置を、異なる種類のジグを使用して、修正する方法が、いくつか示唆されている。米国特許第４，２８４，４０５号には、個々のブラケトを定置する方法が記載されている。この方法によれば、ブラケットを、患者の歯の模型の所望の位置に定置することによって、個々の取付けジグが、歯に取り付けるべき各ブラケットに対して形成される。そのジグは、ブラケットが取り付けられる歯冠とその表面の外形にしたがって形成され、次いでそのジグとブラケットは患者の歯に取り付けられる。この方法は、たとえ所望の通りに機能できても、かなり複雑でありかつ時間がかかり、しかも米国特許第４，５０１，５５４号について考察したときと類似の欠点がある。個々のブラケットを定置する他の類似の方法は、米国特許第４，１８３，１４１号および米国特許第５，８６３，１９８号に記載されている。
【０００５】
米国特許第４，５２３，９０８号には、さらに単純化された取付けジグが開示されている。このジグは、ブラケットを保持して、そのブラケットを、歯の切縁から所定の距離を置いて、歯の表面に定置するようになっている。この取付けジグは、ブラケットが正しい位置に配置されて取り付けられたとき、取り外される。類似の装置が、米国特許第４，６２６，２０８号にも開示されている。
【０００６】
これらの装置は、たとえ特定の用途に良好に働いても、操作が難しいことがある。第一に、ブラケットは、ジグに正しく定置した後に取り外さねばならない。特に、ブラケットを歯の舌側に定置する場合、ジグを取り外すことが難しい場合がある。さらに歯の舌側表面が頬側表面と異なることが多いので、これらジグの構造的特徴が、歯の舌側に使用するのに適切でなくなる。したがって、過大に時間がかかるコスト高の詳細と手順を必要とせずに、ブラケットを定置するのに十分役立つ、ブラケット、特に舌側ブラケットを扱うより優れた装置が要求されている。
【０００７】
最近、自己結紮式歯科矯正用ブラケットがより一般的になっている。これらブラケットは、ブラケットベース、およびそのベースに付随するアーチワイヤを連結するためそのベースと相互に作用する連結カバーを備えている。このようなブラケットは例えば、米国特許第６，６５５，９５７号、同第６，６５９，７６６号および同第６，６５９７６７号に記載されている。これらブラケットは、閉じた連結状態にあるときに蓋が開くのを防止する固定機構を通常備えている。しかし、これらのブラケットは、開くことが困難なときがあり、閉鎖が良好であればあるほど、開くことが困難になる。特に、舌側ブラケットは、歯に配置するとき、協働することが難しく、所望のとき開くことが問題になることがある。したがって、閉鎖された自己結紮式ブラケットをより容易に開かせるのに役立つブラケット、特に舌側のブラケットを扱う改良された装置を製作する必要がある。
【考案の概要】
【課題を解決するための手段】
【０００８】
本考案は、第一の態様において、歯科矯正装置、例えばブラケットを定置するのに使用する取付けジグに関する。本考案によれば、そのジグはその歯科矯正装置の一体部分である。そのジグと歯科矯正装置は一体に成形できる。そのジグは、歯科矯正装置を歯に取り付けるときに歯の切縁の近くに位置する歯科矯正装置の末端またはその近傍に取り付ける方が好ましい。そのジグは、歯科矯正装置を、歯に取り付けるとき、整合させて定置するため、歯の切縁と接触するようになっている。その位置は、患者の歯の模型に対して予め試すことができるが、患者に直接試すこともできる。歯科矯正装置が、所望の方法、例えばその歯科矯正装置の取付け面に接着剤を塗布することによって歯に取り付けられるとき、ジグはその歯科矯正装置から取り外すことができる。したがって、一体に製造された装置は、ジグを歯科矯正装置から取り外しやすくする手段を備えている。好ましい実施形態では、歯科矯正装置（例えばブラケット）とジグの連結部分は、その取付けジグを２、３回前後に曲げることによってジグが外れるように弱くしてある。その弱化は、容易に破壊できる連結部分を得るため、孔をあける方法、全体が弱い連結部分または他の適切な方法によって、行うことができる。
【０００９】
ジグは、大きさが比較的小さくかつ歯科矯正装置より小さいかまたはほぼ同じ大きさであることが好ましい。ジグを小さく製作すればするほど、その取付けジグを使用後に廃棄する場合、浪費される材料が少なくなる。
【００１０】
歯科矯正装置は、所望の位置に、手で直接取り付けるか、またはその取付けジグと歯科矯正装置とを所望の位置へ保持するある種の器具例えば把持器具を使って取り付けることができる。勿論、歯科矯正装置は、ジグが歯科矯正装置の位置を示すためにのみ役立つように歯科矯正装置の他の部分を把持する器具で把持できる。
【００１１】
前記取付けジグは、自己結紮式ブラケットの場合に使用できる。かようなブラケットは、通常、ベースおよびそのベースに枢着されたふたを備えている。この場合、ブラケットの部品はすべて、例えば成形することによって、一つの一体に製作された部材として製作することができ、またはふたは、ベースとは別個の部品であってもよく、すなわち前記ふたとベースは別個の部品として製作しその後連結される。いずれにしろ、取付けジグは、ベースと一体に成形する方が好ましい。取付けジグをふたに取り付けることは勿論可能であるが、ベースを歯の上に定置することが絶対必要であるから、ジグをベースに取り付けることが通常好ましい。
【００１２】
取付けジグの具体的実施形態では、前記ジグは、歯に対面する平坦面を有する平坦なスティックとして形成される。
【００１３】
前記取付けジグは、二つの部分に分割されていることが好ましく、第一部分は、一端が歯科矯正装置に取り付けられ、他端は第二部分に連結している。この場合、前記第一部分と第二部分は、曲り部によって、互いに対して分割され、歯の切縁が、前記曲り部分またはジグの第二部分の表面に適合するように距離をおいて、互いに、３０°〜１２０°、好ましくは４０°〜９０°、および最も好ましくは４５°〜８０°の角度で曲げられている。その曲り部分は、比較的短く鋭角に曲がった部分として製作してもよく、またはよりなだらかに湾曲した長い曲り部分として製作してもよい。歯科矯正装置に対する取付けジグの取付け点と前記曲り点もしくは曲り部分との間の距離は、好ましくは１ｃｍ未満であり、より好ましくは０．５ｃｍ未満であり、通常、１〜４ｍｍの範囲内である。前記ジグの第二部分、例えば前記歯科矯正装置から見て前記曲り点を越えた位置にある、ジグの部分であって、前記歯科矯正装置を定置するとき、手または器具で保持される部分として役立つ部分は、長さが、好ましくは１．５ｃｍ未満であり、通常、約０．５ｃｍ以下である。ジグの全長は、好ましくは２．５ｃｍ未満であり、より好ましくは１．５ｃｍ未満であり、そして最も好ましくは１ｃｍ未満である。しかし、第二部分の全長すなわち長さは、ジグの機能に対して決定的なものではなく、便宜上および適切に取り付けるため、前記寸法の範囲内にあればよい。本考案の構造によれば、たとえ本考案が前記長さを超えた場合に作動できても、前記寸法より大きいことに、明らかな利益はない。しかし、ジグを大きく製作すればするほど、その取付けジグを廃棄するとき浪費される材料の量が大きくなる。一般に、第二部分の長さは、好ましくは第一部分の３倍未満であり、より好ましくは第一部分の２倍未満であり、最も便利なのは第一部分とほぼ同じ長さである。
【００１４】
歯科矯正装置に連結されているジグの部分は、好ましくは、歯科矯正装置の連結部分、例えば歯に連結するように構成されたベースプレートに対して幾分傾斜している。その傾斜角は、好ましくは２°〜９０°の角度であり、より好ましくは５°〜６０°の角度であり、最も好ましくは１０°〜４５°の角度である。この傾斜角によって、歯科矯正装置は、歯の舌側に連結するのに好適な装置になる。
【００１５】
歯科矯正装置の連結部分に対する第一部分の傾斜角は、取付けジグの第一部分と第二部分の間の曲げ角度より小さい方がさらに好ましい。
【００１６】
本考案の第二の態様で、本考案は、自己結紮式ブラケットのふたを開閉する方法およびシステムに関する。本考案によれば、前記ふたは、その表面から延出する保持スティックを備えている。このスティックは、器具に、そのスティックを把持させてスティックに力を加えて前記ふたを開かせるためのものである。
【００１７】
本考案の好ましい実施形態では、前記ふたは、被覆部分と閉鎖部分とを備えている。その被覆部分は主要部分に枢着されており、そして被覆部分と閉鎖部分は、互いに角度をなしている。この閉鎖部分は前記保持スティックを備えている。この実施形態では、この角度をなしている部分は、前記フタを開くのに十分な力を生じさせるため、前記器具を押し付けるための良好な支持体になっている。
【００１８】
良好に把持させるため、前記スティックには、器具、例えば末端にループを備えたフォークまたは小ロッドに前記スティックを良好に把持させるように、フック、突出部またはくぼみを設けてもよい。
【００１９】
本考案の好ましい実施形態によれば、歯に連結する際に歯科矯正装置をしっかり把持させて歯科矯正装置の確実な定置を改善するため、前記スティックは、歯科矯正装置を定置するとき、保持スティックとして使用することもできる。この実施形態によれば、前記スティックは、歯科矯正装置の定置を改善するため、自己結紮式ブラケットのみならずあらゆる種類の歯科矯正装置に配置することができる。
【００２０】
本明細書における用語「歯科矯正装置」は、治療のため歯に取り付けることを目的とするブラケット、チューブおよび咬合ランプ（ｂｉｔｅ  ｒａｍｐ）または類似装置を意味する。
【００２１】
添付図面を参照して、本考案をさらに詳細に以下に説明する。
【図面の簡単な説明】
【００２２】
【図１】本考案による取付けジグとブラケットの斜視図である。
【図２】図１に示した取付けジグとブラケットの側面図である。
【図３】図１に示した取付けジグとブラケットの平面図である。
【考案を実施するための形態】
【００２３】
図１〜３には、全方向または位置が場合により使用されている。上下方向は、下側が、装置の、歯に取り付ける側でありかつ上側が歯に取り付けるとき歯に対し反対側に向いている側であるＹ方向として定義されている。長手方法すなわち長さ方向はＸ方向と定義され、および横方向すなわち幅方向はＺ方向と定義されている。
【００２４】
図１は本考案による歯科矯正装置１の斜視図である。この歯科矯正装置は、取付けジグ２および歯に取り付けるようになっているブラケット３とを備えている。ブラッケト３は、この場合、自己結紮式ブラケットであるが、主要素４とふた５を備えている。そのふた５は、ヒンジ６によって主要素４に枢着されている。ブラケット３は閉鎖状態で示され、ふた４の遠位端が、主要素４の縁部部分によって形成されている肩状部８と係合するようになっているフック７として形成されている。ブラケット３とジグ２の間に連結部分９がある。この連結部分に必要なことは、ブラケット３を、所望の位置に、満足すべき状態で確実に取り付けることができるように十分剛性で、同時に、例えば連結部分９を弱めるためジグ２を数回前後に曲げることによって容易に破断されて、ブラケット３が歯に取り付けられたとき、ジグ２を容易にブラケット３から分離できるようになっていることである。ブラケット３の主要素４はさらに、異なる歯に取り付けられたブラケットを連結して、歯の歯科治療を行うため、ワイヤなどを受け入れるようになっているスロット１０を備えている。ふた４はさらに突出している保持スティック１１を有している。該スティック１１は、その長さ方向に見られる、断面積がスティック１１の断面積より大きいボール型末端のフック１２を備えている。フック１２の重要な特徴は、図２に明示されるように、スティック１１の両側に突出していることである。この突出部分によって、以下に説明する容易な方法で、ふた４をはずして閉鎖状態から開放状態にすることができる。このふたは、二つの部分、すなわちスロット１０を覆うようになっている第一被覆部分１３およびその末端に閉鎖フック７を備えた閉鎖部分１４に分割できる。ボール型末端フックを取り付けられたスティック１１は、好ましくは、ふた４の閉鎖部分１４に連結される。このように、前記フックと係合するようになっている器具、例えばフォーク型器具は、被覆部分１３と閉鎖部分１４の間のふたの曲り部分に形成されたふた４の縁部部分を利用し、押し付けて、その閉鎖フックを上方向と外方向に移動させて閉鎖フック７を肩部８から分離させることができる。ブラケット３はさらに、該ブラケットを歯に取り付けるとき、下側に接着剤を有するベースプレート１５を備えている。
【００２５】
図２は、図１に示す歯科矯正装置１の側面図であるが、この図において曲がった形態の取付けジグ２が明示されている。そのジグは、二つの部分すなわち、曲り部分１８によって分割された第一連結部分１６と第二指示部分１７に分割できる。前記第一部分１６と第二部分１７の間の曲り部分１８の角度は、この実施形態では約６０°である。図２でも見られるように、取付け部分１６の上側を曲げるかまたは切り込んで連結部９が形成されている。前記曲げまたは切り込みによって、取付け部分１６の連結部分９は薄くなるので、取付けジグ２は前後に曲げてブラケット３から切り離しやすくなる。この実施形態では、ベースプレート１５に対する取付け部分１６の傾斜角は約２０°である。しかし、第一部分１６を、連結部分９でベースプレートに取り付ける際、その傾斜角は、一層鋭角になり、第一部分１６のベースプレートに対する全傾斜角は、取付け連結部分９から曲がり部分１８までの直線に対して２５〜３０°の間の角度である。第一部分１６がベースプレート１５に対して傾斜していると、その取付けジグ２は、歯の舌側に固定するのに特に適切なものになる。傾斜していると、ブラケット３は歯に確実に取り付けることができ、かつブラケット３を歯の舌側表面の所望の位置に定置しやすくなる。さらに、取付けジグ２は、ベースプレート１５の上側１９に取り付けられるが、これは、ベースプレート１５を歯に取り付けるとき取付けジグ２が不利な相互作用をする危険が小さいので有利である。例えば、取付けジグ２がベースプレート１５の縁部部分に配置されそしてブラケットの下面２０が歯の表面に接着されると、ジグ２の一部も歯に接着して、したがってジグ２を分離することが困難になることがある。さらに、ジグ２は、ブラケット３を歯の表面に定置させるとき、歯に接触して、ベースプレート１５の歯の表面に対する所望の定置を妨げることによって、不利に影響することがある。
【００２６】
図３は、保持スティック１１の原理を示す最良の図面である。この図からわかるように、ボール型末端のフック１２は、前記スティックより幅が大きいので、スティック１１とボール型末端のフック１２の間に縁部が形成されている。前記縁部が、図３に示すように、形成されると、ふた５を開くためフォーク型器具が使いやすくなるであろう。前記フォークの二つの叉の間の距離はスティック１１の幅より大きいが、縁部２１を形成する前記ボール型末端のフックの部分の幅より狭くなければならない。ボール型末端のスティック１２は、勿論、すべての方向に、スティック１１より幅が広くすなわち直径が大きいが、前記ふたを開くためフォーク型器具を使うとき、不可欠の特徴は、ボール型末端のフック１２が、図３に示すように、Ｚ方向に幅が広いことである。
【００２７】
ここで、主に図１を参照して、前記ふたの開き方を説明する。ふた５を開くとき、前記フォークはふた５の頂部に配置され、そのときスティック１１はフォーク器具の一対のトングの間に位置し、したがって前記トングは、幅方向（Ｚ方向）に見られるようにスティック１１の各側部の縁部部分２１（図３参照）と係合している。フォークのハンドルを下方に押し付けて、それによりフォークに、ふた４の曲り部分（すなわち被覆部分１３と閉鎖部分１４の間に形成されている部分）を押さえさせる。そのフォークはレバーアームとして働いて、スティック１１を通じてふたの閉鎖部分１４に、したがって閉鎖フック７に働く力を生じ、その結果、フック７は移動して肩部８から離れる。
【００２８】
しかし、同じ原理によって働く他の器具、例えば、前記ボール型末端のフックを通過して前記スティックと係合できるループ型器具などを使用できる。その場合、前記ループ型器具と係合する縁部を形成するように、これらの図に定義されている前記スティックの下側Ｙ方向に突出する縁部を有するフックを備えることが好ましい。したがって、いくつかの方式で、分離スティックのフックに嵌合するように適合された器具を何種類も成形できる。スティック上のフックは、他のタイプのフック、例えばアイフック（ｅｙｅ  ｈｏｏｋ）、ハーブ（ｈａｒｂ）または他の適切なフックのみならず欠刻、切断、切り欠きなどとしても製造できることに留意すべきである。
【００２９】
さらに、前記器具は、単純なスティックをつかめるように製作して、前記スティックにフックを設ける必要が全くないようにすることができる。しかし、これは、移動する部分、例えば一対のトングを有するより進歩した器具が必要とされ得ることを示唆している。
【００３０】
本考案は、上述された実施形態に限定されることなく、本明細書の実用新案登録請求の範囲内で変更できる。
【００３１】
特に、図面は、自己結紮式ブラケットのみを示していることに留意すべきである。勿論、他の種類のブラケットまたは歯科矯正装置にも本考案の方法を利用できる。
【００３２】
前記取付けジグと保持スティックは、必ずしも同じ装置に使用しなければならないわけではなく、別個に使用することができ、例えば、前記取付けジグは、保持スティック無しの自己結紮式ブラケットに、または自己結紮式でない通常のブラケットに使用できる。同様に、前記保持スティックは、前記取付けジグを備えていない自己結紮式ブラケットに使用できる。
【００３３】
しかし、これら二つの組み合わされた特徴によって、そのブラケットは、定置および取扱いが一層容易になり、これら二つの特徴を、同じ装置に組み入れることが好ましい。先に述べたように、所望の位置を示すためにジグを使用しながら、歯科矯正装置を所望の位置に保持するためにスティックを使用できるという、これらをともに使用する相乗効果がある。
【図１】
0003155882.tif 000003
【図２】
0003155882.tif 000004
【図３】
0003155882.tif 000005
【手続補正書】
【提出日】平成21年10月2日(2009.10.2)
【手続補正１】
【補正対象書類名】実用新案登録請求の範囲
【補正対象項目名】全文
【補正方法】変更
【補正の内容】
【実用新案登録請求の範囲】
【請求項１】
歯に取り付けるよう構成された構成部品（３）と、取付けジグ（２）とを備える歯科矯正装置（１）において、
前記取付けジグ（２）は、前記構成部品（３）の一体部分であり、かつ、連結部分（９）にて前記構成部品（３）に取り付けられるものであり、
前記連結部分（９）は、前記構成部品（３）が歯に取り付けられたときに前記取付けジグ（２）を切り離すことができるよう、前記取付けジグ（２）を前記構成部品（３）から取り外すための手段を備えている
ことを特徴とする、歯科矯正装置。
【請求項２】
前記構成部品（３）がベースプレート（１５）を備え、前記ベースプレート（１５）が歯の表面に取り付けられるようになっており、主要部分（４）が、歯を治療する際の器具として使用するように構成されていることを特徴とする、請求項１に記載の歯科矯正装置。
【請求項３】
前記取付けジグ（２）が、前記連結部分（９）によって前記主要部分（４）に取り付けられていることを特徴とする、請求項１に記載の歯科矯正装置。
【請求項４】
前記取付けジグ（２）が、前記連結部分（９）によって前記ベースプレート（１５）に連結されていることを特徴とする、請求項１または２に記載の歯科矯正装置（１）。
【請求項５】
前記連結部分（９）にて前記ベースプレート（１５）に連結されている前記取付けジグ（２）が、前記ベースプレート（１５）の上側（１９）に連結されていることを特徴とする、請求項４に記載の歯科矯正装置。
【請求項６】
前記取付けジグ（２）が、前記連結部分（９）において、前記ベースプレート（１５）の表面に対して傾斜していることを特徴とする、請求項３〜５のいずれか一項に記載の歯科矯正装置。
【請求項７】
前記連結部分（９）における前記取付けジグ（２）と前記ベースプレート（１５）との間の傾斜角が、２°〜９０°の角度であり、より好ましくは５°と６０°の間の角度であり、最も好ましくは１０°〜４５°の角度であることを特徴とする、請求項６に記載の歯科矯正装置。
【請求項８】
前記取付けジグ（２）が、二つの部分、すなわち曲り部分（１８）によって分割された第一の取付け部分（１６）および第二の指示部分（１７）に分割され、前記二つの部分（１６、１７）は、歯の切縁が前記取付けジグの前記曲り部分（１８）または前記第二部分（１７）の表面に適合するように間隔をおいて、互いに、３０°と１２０°の間の角度で、好ましくは４０°と９０°の間の角度で、最も好ましくは４５°と８０°の間の角度で曲げられていることを特徴とする、請求項１〜７のいずれか一項に記載の歯科矯正装置。
【請求項９】
保持スティック１１を備えていることを特徴とする、請求項１〜８のいずれか一項に記載の歯科矯正装置。
【請求項１０】
前記保持スティック（１１）がフック（１２）を備えていること特徴とする、請求項９に記載の歯科矯正装置。
【請求項１１】
前記保持スティック（１１）を具備するふた（５）を有する自己結紮式ブラケット（３）を備えていることを特徴とする、請求項９または１０に記載の歯科矯正装置。